(57)【要約】【課題】  使用者制限を個人別で容易に設定することができる画像形成装置を提供する。【解決手段】  指紋読取装置２、読み取った指紋が登録された指紋か否かを照合する指紋照合装置５を備え、指紋照合装置５は、照合された指紋が登録された指紋と判断した場合にのみ電源をオンし、使用者、送信枚数、サイズ、宛先を含む使用情報を記憶する機能を有する。【選択図】  図１
2005229471.tif 000002
【特許請求の範囲】
【請求項１】
指紋の情報を読み取る指紋読取装置と、該指紋読取装置により読み取った指紋が登録された指紋か否かを照合する指紋照合装置とを備え、該指紋照合装置は、指紋が登録された指紋と判断した場合に電源をオンし、使用者、送信枚数、サイズ、宛先を含む使用情報を記憶することを特徴とする画像形成装置。
【請求項２】
原稿の有無を検知する原稿センサを有し、非稼動時は受信のリンギングを監視する部分及び前記原稿センサのみ通電され、前記指紋照合装置により指紋が登録された指紋と判断され、且つ前記原稿センサにより原稿を検知した場合は、送信機能を動作可能とすることを特徴とする請求項１記載の画像形成装置。
【請求項３】
前記リンギングを検出した場合は、前記指紋照合装置による指紋の照合の可否に関わらず受信機能を動作可能とすることを特徴とする請求項１記載の画像形成装置。
【発明の詳細な説明】
【技術分野】
【０００１】
本発明は、ファクシミリ装置、複写機等の画像形成装置に関し、特にその使用者制限及び個人管理技術に関する。
【背景技術】
【０００２】
ファクシミリ装置、複写機などの画像形成装置においては、通常は不特定多数の人が使用可能となっており、そのために機密情報が漏洩し易い状況にあった。
そのため、使用者の指紋認証を行い、使用者制限及び個人管理を行う技術が、例えば特許文献１〜３等に開示されている。
【特許文献１】特開２０００−２９３２５３公報
【特許文献２】特開２００１−１２５６６０公報
【特許文献３】特開２００３−０２２１５６公報
【発明の開示】
【発明が解決しようとする課題】
【０００３】
しかし、特許文献１〜３に開示されている従来技術は、使用者制限を個人別で容易に設定するという技術は未だなく、その点で改良の余地が残されていた。
本発明は、使用者制限を個人別で容易に設定することができる画像形成装置を提供することを目的とする。
【課題を解決するための手段】
【０００４】
上記目的を達成するために、請求項１記載の発明は、指紋の情報を読み取る指紋読取装置と、該指紋読取装置により読み取った指紋が登録された指紋か否かを照合する指紋照合装置とを備え、該指紋照合装置は、指紋が登録された指紋と判断した場合に電源をオンし、使用者、送信枚数、サイズ、宛先を含む使用情報を記憶することを特徴とする。
請求項２記載の発明は、原稿の有無を検知する原稿センサを有し、非稼動時は受信のリンギングを監視する部分及び前記原稿センサのみ通電され、前記指紋照合装置により指紋が登録された指紋と判断され、且つ前記原稿センサにより原稿を検知した場合は、送信機能を動作可能とすることを特徴とする。
請求項３記載の発明は、前記リンギングを検出した場合は、前記指紋照合装置による指紋の照合の可否に関わらず受信機能を動作可能とすることを特徴とする。
【発明の効果】
【０００５】
使用者制限を個人別で容易に設定できることで、複数の部署で使用する際の経費分担等の管理が容易になる。また、不特定多数の個人と契約してファクシミリ装置あるいは複写機を使用してもらうような業態が可能になる。例えばビルの一角にファクシミリ装置、複写機を置き、そのビルに入っている複数の会社と契約し、機械を自由に使ってもらうなどが考えられる。
【発明を実施するための最良の形態】
【０００６】
以下、本発明の実施の形態を図面に従って説明する。
図１は本発明の実施形態に係るファクシミリ装置の外観斜視図である。操作部１の横に指紋読取装置２が搭載されており、その上に終了ボタン３、その横に表示装置４が設けられている。また操作部１、指紋読取装置２、終了ボタン３、表示装置４の奥側には指紋照合装置５が設けられている。この指紋照合装置５は制御機能部と記憶機能部を有する。符号６は原稿センサである。
図２は指紋読取時の第１の制御例を示すフローチャートである。使用者は予め自分の指紋情報を指紋照合装置５の記憶機能部に記憶させておき、使用の際には指紋読取装置２に指紋を読ませる（Ｓ１）。
読み取られた指紋情報と記録されている指紋情報を照合して（Ｓ２）、登録されていると判断された場合のみ（Ｓ２でＯＫ）、電源をＯＮするように指紋照合装置５の制御機能部でコントロールし（Ｓ４）、電源がONしたら、使用者は原稿をセットし、宛先に電話番号を入力してスタートボタンを押すことで送信することができる（Ｓ５）。この時、送信情報（宛先、送信時間、使用料 など）が指紋照合装置５の記憶機能部に使用者情報と一緒に記録される（Ｓ６）。そして送信が終了するまで続行して（Ｓ７）、送信動作が終了すると（Ｓ７でＮＯ）、終了ボタン３が押されて（Ｓ８）電源がＯＦＦして（Ｓ９）終了する。終了ボタン３が押されず、かつ送信が実施されない場合は所定時間が経過した時点で警告表示後、電源をＯＦＦするように制御する。記憶機能部に記録された情報は管理者が所定の手続きで入手可能になっている。またステップＳ２で指紋が検索できない場合は（Ｓ２でＮＧ）、登録されていない（使用不可）との情報を表示装置４に表示し（Ｓ３）、電源はＯＮしない。
【０００７】
図３は指紋読取時の第２の制御例を示すフローチャートである。第２の制御例では装置の電源プラグを電源コンセントに接続したら、電源ＯＦＦ状態ではなく、リンギングを受ける部分及び原稿センサ６のみに電力を供給した状態（一般的に省エネモードと称される）にし、受信を受けた場合は受信機能だけをＯＮして受信し、指紋照合がＯＫであれば、原稿をセットした時点で送信機能のみＯＮするように指紋照合装置５の制御機能部で制御する。即ち、使用者は予め自分の指紋情報を指紋照合装置５の記憶機能部に記憶させておき、使用の際には指紋読取装置２に指紋を読ませる（Ｓ１１）。読み取られた指紋情報と記録されている指紋情報を照合して（Ｓ１２）、登録されていると判断された場合のみ（Ｓ１２でＯＫ）、電源をＯＮするように指紋照合装置５の制御機能部でコントロールし（Ｓ１４）、電源がONしたら、使用者は原稿をセットし、宛先に電話番号を入力してスタートボタンを押すことで送信することができる（Ｓ１５、Ｓ１６）。この時、送信情報（宛先、送信時間、使用料 など）が指紋照合装置５の記憶機能部に使用者情報と一緒に記録される（Ｓ１７）。そして送信が終了するまで続行して（Ｓ１８）、送信動作が終了すると（Ｓ１８でＮＯ）、終了ボタン３が押されて（Ｓ１９）初期状態（省エネモード）に戻り（Ｓ２０）終了する。終了ボタン３が押されず、かつ送信が実施されない場合は所定時間が経過した時点で警告表示後、電源をＯＦＦするように制御する。記憶機能部に記録された情報は管理者が所定の手続きで入手可能になっている。またステップＳ１２で指紋が検索できない場合は（Ｓ１２でＮＧ）、登録されていない（使用不可）との情報を表示装置４に表示し（Ｓ１３）、電源はＯＮしない。
尚、リンギングを検出した場合は、指紋照合装置５による指紋の照合の可否に関わらず受信機能を動作可能とすることにより、無人状態においてもファクシミリの受信動作を行うことができる。
【図面の簡単な説明】
【０００８】
【図１】本発明の実施形態に係るファクシミリ装置の外観斜視図である。
【図２】指紋読取時の第１の制御例を示すフローチャートである。
【図３】指紋読取時の第２の制御例を示すフローチャートである。
【符号の説明】
【０００９】
１  操作部、２  指紋読取装置、３  終了ボタン、４  表示装置、５  指紋照合装置
【図１】
2005229471.tif 000003
【図２】
2005229471.tif 000004
【図３】
2005229471.tif 000005